(57)【要約】  チョッパ回路は、タービンの高温環境で動作するように適合されうる。第１の半導体スイッチ（１２２）は、差動増幅器（１５０）の第１の脚（１４８）から第１の出力信号を受信するように接続された第１の端子を有してもよい。第２のスイッチ（１２８）は、第１の半導体スイッチの第２の端子へ第１の抵抗要素（R1）を介して接続された第１の端子を有してもよい。第２の半導体スイッチの第１の端子は、増幅器の第２の脚（１５２）から第２の出力信号を第２の抵抗要素（R2）を介して受信するように接続されてもよい。
2015524890.tif 000002
【特許請求の範囲】
【請求項１】
タービンエンジンの高温環境で動作するように適合された回路であって：
構成要素のパラメータを検知し、前記検知されたパラメータを示す電圧差を提供するために、前記タービンエンジンの前記構成要素上に配置された検知要素と；
前記検知されたパラメータを示す前記電圧差を受信するために、前記検知要素に各々接続された第１の入力端子および第２の入力端子を有する差動増幅器と；
前記差動増幅器に接続されたチョッパ回路であって、
前記差動増幅器の第１の脚から第１の出力信号を受信するように接続された第１の端子を有する第１の半導体スイッチと、
前記第１の半導体スイッチの第２の端子に第１の抵抗要素を用いて接続された第１の端子を有する第２の半導体スイッチであって、前記第２の半導体スイッチの前記第１の端子は、前記差動増幅器の第２の脚から第２の出力信号を第２の抵抗要素を用いて受信するように接続され、前記第１および第２の半導体スイッチが切り替え制御信号に応答し、前記切り替え制御信号は、前記第１および第２の半導体スイッチの各ゲート端子へ並列回路で適用され、前記第１のスイッチの前記第２の端子は、前記差動増幅器の前記第１の出力信号のレベルに対応する第１の振幅レベルから前記差動増幅器の前記第２の出力信号のレベルに対応する第２の振幅レベルへ前記切り替え制御信号の周波数に関連して交互に起こる交流（AC)信号を含む出力信号を供給し、前記第２の半導体スイッチの第２の端子は、電気的に接地される、第２の半導体スイッチと
を含むチョッパ回路と；
を含むことを特徴とする回路。
【請求項２】
前記第１および第２の半導体スイッチの前記各第１の端子は、各ドレイン端子を含み、前記第１および第２の半導体スイッチの前記第２の端子は、各ソース端子を含むことを特徴とする請求項１に記載の回路。
【請求項３】
前記第１および第２の半導体スイッチの前記各第１の端子は、各ソース端子を含み、前記第１および第２の半導体スイッチの前記第２の端子は、各ドレイン端子を含むことを特徴とする請求項１に記載の回路。
【請求項４】
前記第１および第２の半導体スイッチは、各接合ゲート電界効果トランジスタ（JFET)スイッチを含むことを特徴とする請求項１に記載の回路。
【請求項５】
前記第１および第２の半導体スイッチは、各高温広バンドギャップ材料を含むことを特徴とする請求項１に記載の回路。
【請求項６】
前記高温広バンドギャップ材料は、SiC、AlN、GaN、AlGaN、GaAs、GaP、InP、AlGaAs、AlGaP、AllnGaP、およびGaAsAlNからなるグループから選択されることを特徴とする請求項５に記載の回路。
【請求項７】
前記検知要素は、前記構成要素の温度を検知するために熱電対を含み、前記電圧差は、前記構成要素の前記検知された温度を示すことを特徴とする請求項１に記載の回路。
【請求項８】
前記回路の局部温度を示す周波数を有する周期波信号を含む前記切り替え制御信号を生成するように構成された周期波発振器をさらに含むことを特徴とする請求項７に記載の回路。
【請求項９】
前記第１の振幅レベルおよび前記第２の振幅レベル間の差は、前記構成要素の前記検知された温度を示す前記電圧差の約２倍までの値を含むことを特徴とする請求項８に記載の回路。
【請求項１０】
前記第１および第２の抵抗要素は、約等しい抵抗値を含むことを特徴とする請求項１に記載の回路。
【請求項１１】
請求項１の前記回路を含むテレメトリシステム。
【請求項１２】
差動増幅器の第１の脚から第１の出力信号を受信するように接続された第１の端子を有する第１の半導体スイッチと、
前記第１の半導体スイッチの第２の端子に第１の抵抗要素を用いて接続された第１の端子を有する第２の半導体スイッチであって、前記第２の半導体スイッチの前記第１の端子は、前記差動増幅器の第２の脚から第２の出力信号を第２の抵抗要素を用いて受信するように接続され、前記第１および第２の半導体スイッチが切り替え制御信号に応答し、前記切り替え制御信号は、前記第１および第２の半導体スイッチの各ゲート端子へ並列回路で適用され、前記第１のスイッチの前記第２の端子は、前記差動増幅器の前記第１の出力信号のレベルに対応する第１の振幅レベルから前記差動増幅器の前記第２の出力信号のレベルに対応する第２の振幅レベルへ前記切り替え制御信号の周波数に関連して交互に起こる交流（AC)信号を含む出力信号を供給し、前記第２の半導体スイッチの第２の端子は、電気的に接地される、第２の半導体スイッチと
を含むことを特徴とする回路。
【請求項１３】
前記第１および第２の半導体スイッチの前記各第１の端子は、各ドレイン端子を含み、前記第１および第２の半導体スイッチの前記第２の端子は、各ソース端子を含むことを特徴とする請求項１２に記載の回路。
【請求項１４】
前記第１および第２の半導体スイッチの前記各第１の端子は、各ソース端子を含み、前記第１および第２の半導体スイッチの前記第２の端子は、各ドレイン端子を含むことを特徴とする請求項１２に記載の回路。
【請求項１５】
前記第１および第２の半導体スイッチは、各接合ゲート電界効果トランジスタ（JFET)スイッチを含むことを特徴とする請求項１２に記載の回路。
【請求項１６】
前記第１および第２の半導体スイッチは、各高温広バンドギャップ材料を含むことを特徴とする請求項１２に記載の回路。
【請求項１７】
前記高温広バンドギャップ材料は、SiC、AlN、GaN、AlGaN、GaAs、GaP、InP、AlGaAs、AlGaP、AllnGaP、およびGaAsAlNからなるグループから選択されることを特徴とする請求項１６に記載の回路。
【請求項１８】
前記回路の局部温度を示す周波数を有する周期波信号を含む切り替え制御信号を生成するように構成された周期波発振器をさらに含むことを特徴とする請求項１２に記載の回路。
【請求項１９】
検知された温度を示す電圧差を供給するために前記差動増幅器の第１の入力端子および第２の入力端子に電気的に接続された熱電対をさらに含むことを特徴とする請求項１８に記載の回路。
【請求項２０】
前記第１の振幅レベルおよび前記第２の振幅は、前記検知された温度を示す前記電圧差の約２倍までの値を含むことを特徴とする請求項１９に記載の回路。
【請求項２１】
前記第１および第２の抵抗要素は、約等しい抵抗値を有することを特徴とする請求項１２に記載の回路。
【請求項２２】
タービンエンジンの高温環境で動作するように適合され、前記回路が検知する前記エンジンの回転可能な構成要素に取り付けられ、前記構成要素の前記検知された温度を示す電圧差を信号調節するように構成されることを特徴とする請求項１９に記載の回路。
【発明の詳細な説明】
【技術分野】
【０００１】
本発明は一般に、電子回路に関し、具体的に、タービンエンジンの高温環境で動作するように適合されうる回路に関する。
【背景技術】
【０００２】
ガスタービンエンジン等のタービンエンジンは、発電所の発電機の駆動または船舶若しくは航空機の推進等の各種用途で使用されうる。現在のガスタービンエンジンの焼成温度は、より高い燃焼効率に対する要求に応じて増加し続けている。
【０００３】
エンジンの動作パラメータを監視するために、無線テレメトリシステムで使用されうるような回路を使用するのが望ましいことがある。例えば、タービン翼等のタービンの構成要素の動作温度を監視するために、またはエンジンの動作中にそのような構成要素上に加えられた動作ストレスを監視するためにそれは望ましい。本発明の実施形態は、そのような回路に関連して改善を提供する。
【発明の概要】
【課題を解決するための手段】
【０００４】
タービンエンジンの高温環境で動作するように適合された回路は：
構成要素のパラメータを検知し、前記検知されたパラメータを示す電圧差を提供するために、前記タービンエンジンの前記構成要素上に配置された検知要素と；
前記検知されたパラメータを示す前記電圧差を受信するために、前記検知要素に各々接続された第１の入力端子および第２の入力端子を有する差動増幅器と；
前記差動増幅器に接続されたチョッパ回路であって、
前記差動増幅器の第１の脚から第１の出力信号を受信するように接続された第１の端子を有する第１の半導体スイッチと、
前記第１の半導体スイッチの第２の端子に第１の抵抗要素を用いて接続された第１の端子を有する第２の半導体スイッチであって、前記第２の半導体スイッチの前記第１の端子は、前記差動増幅器の第２の脚から第２の出力信号を第２の抵抗要素を用いて受信するように接続され、前記第１および第２の半導体スイッチが切り替え制御信号に応答し、前記切り替え制御信号は、前記第１および第２の半導体スイッチの各ゲート端子へ並列回路で適用され、前記第１のスイッチの前記第２の端子は、前記差動増幅器の前記第１の出力信号のレベルに対応する第１の振幅レベルから前記差動増幅器の前記第２の出力信号のレベルに対応する第２の振幅レベルへ前記切り替え信号の周波数に関連して交互に起こる交流（AC)信号を含む出力信号を供給し、前記第２の半導体スイッチの第２の端子は、電気的に接地される、第２の半導体スイッチと
を含むチョッパ回路と；
を含む。
【図面の簡単な説明】
【０００５】
【図１】図１は、ブレードの動作パラメータを監視するために無線テレメトリシステムにより使用されうる電子回路を含む例示的なタービン翼の部分斜視図である。
【図２】図２は、本発明の実施形態を具体化するチョッパ回路の恩恵を受けうる、テレメトリシステムにより使用されうる例示的な熱電対回路のブロック図である。
【図３】図３は、本発明の実施形態を具体化するチョッパ回路の１つの例示的な実施形態の概略図である。
【図４】図４は、１つの例示的な熱電対回路に統合されうるような、本発明の実施形態を具体化するチョッパ回路の概略図である。
【図５】図５は、従来のチョッパ回路に対する本発明の実施形態を具体化するチョッパ回路のある動作上の利点を視覚的に概念化するために使用されうる例示的な波形のプロットである。
【図６】図６は、室温で周期波生成器の例示的な出力（チョッパ回路に関する切り替え制御信号）を示すプロットである。
【図７】図７は、室温に対する例示的な上昇温度で周期波生成器の例示的な出力（チョッパ回路に関する切り替え制御信号）を示すプロットである。
【図８】図８は、温度の関数として例示的な熱電対の例示的な出力電圧変化を示すプロットである。
【図９】図９は、１つの例示的な実施形態で熱電対によって検知された温度を示す振幅情報を含むことができ、チョッパ回路に関する切り替え制御信号の周波数に基づき熱電対回路の局部温度に対して参照されうる、チョッパ回路の例示的な出力信号を示すプロットである。
【発明を実施するための形態】
【０００６】
本発明の例示的な実施形態は、１つの例示的な実施形態においてテレメトリシステムを実装するタービンエンジン等の内燃エンジンで使用されうる電子回路に向けることができる。この例示的な用途は、例えば約３００℃を超える温度を有する環境で動作しうるある電子回路を有する回転可能なタービンエンジン翼等の可動構成要素からセンサデータを送信可能にしうる。
【０００７】
本明細書の開示目的のために、追加的な限定のない用語「高温」環境は、約３００℃を超える最大動作温度を有するタービンエンジンの部分内のような、任意の動作環境に言及しうる。本発明の実施形態は、本発明の実施形態を具体化する回路が非高温環境で同じく効果的に使用されうるので、高温環境に限定される必要がないことが分かる。
【０００８】
図１は、無線テレメトリ送信部２４およびアンテナ部２６を含みうる、例示的なテレメトリシステムを備えうるようなタービン翼２０（部分的に図示される）を示す。リード線またはコネクタ２８は、センサ３０等の１つまたは複数のセンサから、ブレードの付根２２に近接して搭載されて各種テレメトリ送信回路を含みうるテレメトリ送信部２４に延びうる。リード線２８は、信号がプロセッサによって処理されうるテレメトリ送信部２４へセンサ３０から電子データ信号を送ることができる。また、リード線または電子コネクタ３６は、テレメトリ送信回路からアンテナ部２６に電子データ信号を送るために使用されうる。
【０００９】
図２は、テレメトリシステムを備えたタービン構成要素（例えば、タービン翼２０（図１））で使用されうる例示的な熱電対回路のブロック図を示す。測定されたタービン構成要素の温度を示す信号は、熱電対１１０によって検知され、その信号が差動増幅器１１１に接続されうる。差動増幅器１１１の出力は、直流（DC）増幅器１１２に接続されうる。増幅器１１２の出力および周期波発振器１１３（例えば、矩形波生成器）の出力は、チョッパ回路１１４の入力として接続されうる。
【００１０】
図３〜５および以下の関連する記載は、本発明の実施形態を具体化するチョッパ回路の詳細を提供し、チョッパ回路は一つの例示的な用途では、図２に例示されるように熱電対回路で使用されうる。そのような例示的な用途が限定的な意味で解釈されるべきでなく、本発明の実施形態を具体化するチョッパ回路は、他の用途で使用されうることが分かる。
【００１１】
図２に戻ると、チョッパ回路１１４の出力は、電圧制御発振器１１５の入力に接続されうる。チョッパ１１４の出力は一つの例示的な実施形態では、周期波信号（例えば、矩形波信号）でもよく、その振幅は、測定されたタービン構成要素の検知温度を示してもよく、その周波数は、熱電対回路の局部温度に対する検知温度を補償するために使用されうる。この周期信号は、バッファ１１６によってバッファされ、外部受信器（図示せず）へ送信するためにアンテナ２６に接続され、搬送周波数に同調されうる。
【００１２】
図３は、本発明の実施形態を具体化するチョッパ回路１２０（図４にも示す）の一つの例示的な実施形態の概略図である。チョッパ回路１２０は、差動増幅器１５０（図４）の第１の脚１４８から第１の出力信号を受信（例えば、図３の入力１）するように接続された第１の端子（例えば、図３に示すドレイン端子（D)または図４に示すソース端子（S)）を有する第１の半導体スイッチ１２２を含みうる。差動増幅器１５０からの第１の出力信号は、電圧フォロアトランジスタ１５６を用いた適切な信号調節（例えば、インピーダンス整合）を備えることができる。
【００１３】
第２の半導体スイッチ１２８は、第１の半導体スイッチの第２の端子（例えば、図３に示すソース端子（S)または図４に示すドレイン端子（D)）に第１の抵抗要素R1を用いて接続された第１の端子（例えば、図３に示すドレイン端子（D)または図４に示すソース端子（S)）を有する。１つの例示的な実施形態では、半導体スイッチ１２２、１２８は、接合ゲート電界効果トランジスタ（JFET）スイッチでもよく、SiC、AlN、GaN、AlGaN、GaAs、GaP、InP、AlGaAs、AlGaP、AllnGaP、およびGaAsAlN等の各高温広バンドギャップ材料を含みうる。
【００１４】
第２の半導体スイッチ１２８の第１の端子（例えば、図３に示すドレイン端子（D)または図４に示すソース端子（S)）は、差動増幅器１５０（図４）の第２の脚１５２から第２の出力信号を第２の抵抗要素R2を用いて受信（例えば、図３の入力２）するように接続されうる。第１の出力信号と同様に、差動増幅器１５０からのこの第２の出力信号はまた、電圧フォロアトランジスタ１５８を用いて適切な信号調節（例えば、インピーダンス整合）を備えることができる。１つの例示的な実施形態では、第１および第２の抵抗要素R1、R2は、約等しい抵抗値を含むことができる。即ち、等しい抵抗値であるが、標準的な製造公差または名目上の偏差に関しては、当業者によって直ちに理解されうる。
【００１５】
第１および第２の半導体スイッチ１２２および１２８は、図３に示す通り切り替え制御信号に応答しうる。切り替え制御信号は、第１及び第２の半導体スイッチ１２２および１２８の各ゲート端子（G)に並列回路で適用されうる。切り替え制御信号は、周期波発振器１７０（図４）により生成でき、１つの例示的な実施形態ではそれは緩和タイプ（relaxatio  type）のRC発振器として構成されうる。
【００１６】
第１のスイッチ１２２の第２の端子（例えば、図３に示すソース端子Sまたは図４に示すドレイン端子（D)）は、周期的な交流（AC）信号（例えば、矩形波信号）を含む出力信号（図３および４の出力として示される）を供給し、それは差動増幅器１５０の第１の出力信号のレベルに対応する第１の振幅レベルから差動増幅器１５０の第２の出力信号のレベルに対応する第２の振幅レベルへ、切り替え制御信号の周波数に関連して交互に起こる。第２の半導体スイッチ１２８の第２の端子は、電気的に接地されうる（例えば、図３に示すソース端子Sまたは図４に示すドレイン端子D）。
【００１７】
図４に示す通り、熱電対１６０は、差動増幅器１５０の第１の入力端子１６４に電気的に接続された第１の接点１６２を有することができる。熱電対１６０は、検知温度を示す電圧差を与えるために差動増幅器１５０の第２の入力端子１６８に電気的に接続された第２の接点１６６を有しうる。
【００１８】
発振器１７０の周期波出力信号（即ち、切り替え制御信号）は、キャパシタ１７２または抵抗等の温度依存性の回路要素によって決定される周波数を有しうる。即ち、その容量（または抵抗）は、温度変化と共に周期的に変化する。従って、１つの例示的な実施形態では、熱電対回路の局部温度は、切り替え制御信号へ符号化されうる。例えば、図６を参照すると、波形２１０は、発振器１７０の室温での出力波形を示し、また図７を参照すると、波形２１２は、室温に対する上昇温度での同じ発振器１７０の出力波形を示してもよい。図８の波形２１４は、温度の関数として例示的な熱電対出力電圧変化を示すことができる。図９の波形２１６は、チョッパ回路１２０の出力を示してもよく、その振幅は一つの実施形態では、熱電対１１０によって検知された温度に比例してもよく、その周波数は、熱電対回路の局部温度に比例してもよい。故に一つの例示的な実施形態では、チョッパ回路１２０の出力信号は、熱電対回路の局部温度の情報に加えて熱電対によって検知された温度を示す情報を含むことができ、それは当業者によって直ちに理解できるように、温度の補償目的のために使用されてもよい。チョッパ回路１２０の出力信号は次いで、電圧制御発振器１１５（図２）に適用されうる。
【００１９】
図５は、チョッパ回路が差動増幅器の２つの脚の代わりに差動増幅器の脚の一つだけに通常接続されるという従来のチョッパ回路と比較して本発明の実施形態を具体化するチョッパ回路に起因する少なくともいくつかの利点を視覚的に理解するために使用されうる例示的な波形を示す。１Vの例示的なDCオフセット電圧を仮定し、また情報信号が差動増幅器の所定の脚で０．１ボルトの例示的な振幅を有しうると仮定する。従来のチョッパ回路の場合では、所定の脚での出力は、接地に対して参照されうる（差動増幅器の他の脚が電気的にフローティングしうる）ので、DCオフセット電圧（例えば、１V)に対して比較的小さな振幅情報信号（例えば、０．１V）に対処しなければならない。図５の波形１８０を参照。
【００２０】
本発明の実施形態を具体化するチョッパ回路と前述の結果とを比較すると、チョッパ回路は、差動増幅器の両方の脚に接続される。この場合、差動増幅器の各脚の信号が互いに対して本質的に１８０℃だけ位相シフトされ、DCオフセット電圧は、本質的に消去され、情報信号の振幅が倍増される。図５の波形１８２を参照。この場合、電圧振幅１８４は、差動増幅器の脚の１つにのみ接続された従来のチョッパ回路で取得される電圧差１８６（例えば、０．１V)の約２倍の値を含む。
【００２１】
動作において、本発明の実施形態を具体化するチョッパ回路は、差動増幅器の２つの脚からの各出力信号が利用され、チョッパ回路によって提供される振幅利得を倍増するのに効果的でありうる。また、本発明の実施形態を具体化するチョッパ回路は、差動増幅器によりもたらされることがあるDCオフセットを実質的に低減するのに貢献し、これが次いで、差動増幅器からのDCオフセットに起因してチョッパにより生成されうる不要なAC成分の低減をもたらすことが分かる。また、本発明の実施形態を具体化するチョッパ回路は、差動増幅器の２つの脚の利用に鑑みて電圧変化および温度変化の影響を低減するのに貢献しうる。また、低減された不要なAC成分が、検知された情報を含む信号にちょうど置換されるので、本発明の実施形態を具体化するチョッパ回路は、検知システムのダイナミックレンジを効果的に増加できる。
【００２２】
本発明の各種実施形態が本明細書で示され説明されたが、そのような実施形態が単なる例示で提供されることが分かる。多数の変形、変更、および代替が本発明から逸脱しないで行うことができる。従って、本発明は、添付の特許請求の範囲および精神によってのみ制限されることを意図する。
【符号の説明】
【００２３】
１１０  熱電対
１１１  差動増幅器
１１４  チョッパ
【図１】
2015524890.tif 000003
【図２】
2015524890.tif 000004
【図３】
2015524890.tif 000005
【図４】
2015524890.tif 000006
【図５】
2015524890.tif 000007
【図６】
2015524890.tif 000008
【図７】
2015524890.tif 000009
【図８】
2015524890.tif 000010
【図９】
2015524890.tif 000011
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
タービンエンジンの高温環境で動作するように適合された回路であって：
構成要素のパラメータを検知し、前記検知されたパラメータを示す電圧差を提供するために、前記タービンエンジンの前記構成要素上に配置された検知要素と；
前記検知されたパラメータを示す前記電圧差を受信するために、前記検知要素に各々接続された第１の入力端子および第２の入力端子を有する差動増幅器と；
前記差動増幅器に接続されたチョッパ回路であって、
前記差動増幅器の第１の脚から第１の出力信号を受信するように接続された第１の端子を有する第１の半導体スイッチと、
前記第１の半導体スイッチの第２の端子に第１の抵抗要素を用いて接続された第１の端子を有する第２の半導体スイッチであって、前記第２の半導体スイッチの前記第１の端子は、前記差動増幅器の第２の脚から第２の出力信号を第２の抵抗要素を用いて受信するように接続され、前記第１および第２の半導体スイッチが切り替え制御信号に応答し、前記切り替え制御信号は、前記第１および第２の半導体スイッチの各ゲート端子へ並列回路で適用され、前記第１のスイッチの前記第２の端子は、前記差動増幅器の前記第１の出力信号のレベルに対応する第１の振幅レベルから前記差動増幅器の前記第２の出力信号のレベルに対応する第２の振幅レベルへ前記切り替え制御信号の周波数に関連して交互に起こる交流（AC)信号を含む出力信号を供給し、前記第２の半導体スイッチの第２の端子は、電気的に接地される、第２の半導体スイッチと
を含むチョッパ回路と；
を含むことを特徴とする回路。
【請求項２】
前記第１および第２の半導体スイッチの前記各第１の端子は、各ドレイン端子を含み、前記第１および第２の半導体スイッチの前記第２の端子は、各ソース端子を含むことを特徴とする請求項１に記載の回路。
【請求項３】
前記第１および第２の半導体スイッチの前記各第１の端子は、各ソース端子を含み、前記第１および第２の半導体スイッチの前記第２の端子は、各ドレイン端子を含むことを特徴とする請求項１に記載の回路。
【請求項４】
前記第１および第２の半導体スイッチは、各接合ゲート電界効果トランジスタ（JFET)スイッチを含むことを特徴とする請求項１に記載の回路。
【請求項５】
前記第１および第２の半導体スイッチは、各高温広バンドギャップ材料を含むことを特徴とする請求項１に記載の回路。
【請求項６】
前記高温広バンドギャップ材料は、SiC、AlN、GaN、AlGaN、GaAs、GaP、InP、AlGaAs、AlGaP、AllnGaP、およびGaAsAlNからなるグループから選択されることを特徴とする請求項５に記載の回路。
【請求項７】
前記検知要素は、前記構成要素の温度を検知するために熱電対を含み、前記電圧差は、前記構成要素の前記検知された温度を示すことを特徴とする請求項１に記載の回路。
【請求項８】
前記回路の局部温度を示す周波数を有する周期波信号を含む前記切り替え制御信号を生成するように構成された周期波発振器をさらに含むことを特徴とする請求項７に記載の回路。
【請求項９】
前記第１の振幅レベルおよび前記第２の振幅レベル間の差は、前記構成要素の前記検知された温度を示す前記電圧差の２倍までの値を含むことを特徴とする請求項８に記載の回路。
【請求項１０】
前記第１および第２の抵抗要素は、等しい抵抗値を含むことを特徴とする請求項１に記載の回路。
【請求項１１】
請求項１の前記回路を含むテレメトリシステム。
【請求項１２】
差動増幅器の第１の脚から第１の出力信号を受信するように接続された第１の端子を有する第１の半導体スイッチと、
前記第１の半導体スイッチの第２の端子に第１の抵抗要素を用いて接続された第１の端子を有する第２の半導体スイッチであって、前記第２の半導体スイッチの前記第１の端子は、前記差動増幅器の第２の脚から第２の出力信号を第２の抵抗要素を用いて受信するように接続され、前記第１および第２の半導体スイッチが切り替え制御信号に応答し、前記切り替え制御信号は、前記第１および第２の半導体スイッチの各ゲート端子へ並列回路で適用され、前記第１のスイッチの前記第２の端子は、前記差動増幅器の前記第１の出力信号のレベルに対応する第１の振幅レベルから前記差動増幅器の前記第２の出力信号のレベルに対応する第２の振幅レベルへ前記切り替え制御信号の周波数に関連して交互に起こる交流（AC)信号を含む出力信号を供給し、前記第２の半導体スイッチの第２の端子は、電気的に接地される、第２の半導体スイッチと
を含むことを特徴とする回路。
【請求項１３】
前記第１および第２の半導体スイッチの前記各第１の端子は、各ドレイン端子を含み、前記第１および第２の半導体スイッチの前記第２の端子は、各ソース端子を含むことを特徴とする請求項１２に記載の回路。
【請求項１４】
前記第１および第２の半導体スイッチの前記各第１の端子は、各ソース端子を含み、前記第１および第２の半導体スイッチの前記第２の端子は、各ドレイン端子を含むことを特徴とする請求項１２に記載の回路。
【請求項１５】
前記第１および第２の半導体スイッチは、各接合ゲート電界効果トランジスタ（JFET)スイッチを含むことを特徴とする請求項１２に記載の回路。
【請求項１６】
前記第１および第２の半導体スイッチは、各高温広バンドギャップ材料を含むことを特徴とする請求項１２に記載の回路。
【請求項１７】
前記高温広バンドギャップ材料は、SiC、AlN、GaN、AlGaN、GaAs、GaP、InP、AlGaAs、AlGaP、AllnGaP、およびGaAsAlNからなるグループから選択されることを特徴とする請求項１６に記載の回路。
【請求項１８】
前記回路の局部温度を示す周波数を有する周期波信号を含む切り替え制御信号を生成するように構成された周期波発振器をさらに含むことを特徴とする請求項１２に記載の回路。
【請求項１９】
検知された温度を示す電圧差を供給するために前記差動増幅器の第１の入力端子および第２の入力端子に電気的に接続された熱電対をさらに含むことを特徴とする請求項１８に記載の回路。
【請求項２０】
前記第１の振幅レベルおよび前記第２の振幅は、前記検知された温度を示す前記電圧差の２倍までの値を含むことを特徴とする請求項１９に記載の回路。
【請求項２１】
前記第１および第２の抵抗要素は、等しい抵抗値を有することを特徴とする請求項１２に記載の回路。
【請求項２２】
タービンエンジンの高温環境で動作するように適合され、前記回路が検知する前記エンジンの回転可能な構成要素に取り付けられ、前記構成要素の前記検知された温度を示す電圧差を信号調節するように構成されることを特徴とする請求項１９に記載の回路。
【国際調査報告】
2015524890.tif 000012
2015524890.tif 000013
2015524890.tif 000014